(57)【要約】【課題】意図した二重瞼を簡単に形成できる二重瞼形成材を提供する。【解決手段】裏面に粘着性を有する複数本の細帯状テープ１と、これを表面に並べて剥離可能に貼付保持した台紙２とから構成し、前記台紙２に、テープ１の両端部に一部分が重なるように、枠状切目線３に囲まれた把持部４を形成し、枠状切目線３には、テープ１の長さ方向に並行する部分に位置するように繋部５を設け、台紙２の端縁から枠状切目線３の外側端へかけて、端部切目線６を入れる。二重瞼を形成する際には、端部切目線６による切込を拡大するように台紙２を撓ませて、枠状切目線３の繋部５を破断させ、把持部４を摘んで持ち上げることにより、テープ１を台紙２から剥がし、把持部４をプッシャーとして瞼を押し込み、襞を形成する位置を決め、瞼に襞を形成しつつ、テープ１を瞼に貼り付け、テープ１から把持部４を剥がして除去する。【選択図】図１
2015228939.tif 000002
【特許請求の範囲】
【請求項１】
少なくとも裏面に粘着性を有する複数本の細帯状テープ(1)と、これを表面に並べて剥離可能に貼付保持した台紙(2)とから成り、台紙(2)からテープ(1)を剥がして瞼に貼り付けることにより二重瞼を形成する二重瞼形成材において、前記台紙(2)に、テープ(1)の両端部に一部分が重なるように、枠状切目線(3)に囲まれた把持部(4)を形成し、枠状切目線(3)には、テープ(1)の長さ方向に並行する部分に位置するように繋部(5)を設け、台紙(2)の端縁から枠状切目線(3)の外側端へかけて、端部切目線(6)を入れたことを特徴とする二重瞼形成材。
【請求項２】
前記テープ(1)は、裏面だけでなく表面にも粘着性を有するものとし、テープ(1)に対応する形状の剥離紙(7)でテープ(1)の表面を覆い、剥離紙(7)に長さ方向中間部で分割する中間切目線(8)を入れたことを特徴とする請求項１に記載の二重瞼形成材。
【発明の詳細な説明】
【技術分野】
【０００１】
この発明は、二重瞼形成用のテープを台紙に剥離可能に貼付保持した二重瞼形成材に関するものである。
【背景技術】
【０００２】
従来より、美容上の要請により擬似的に二重瞼を形成する手段が種々提案されており、下記特許文献１には、図５に示すように、裏面に粘着性を有する複数本の細帯状テープ５１と、表面にテープ５１が長さ方向を横に向けた状態で左右一対ずつ縦方向に並べて剥離可能に貼付保持された台紙５２とから成る二重瞼形成材が記載されている。
【０００３】
テープ５１の一端には、取手５４がテープ５１から切り離しやすいように括れ部を介して接続され、テープ５１及び取手５４は、台紙５２の表面全体に貼り付けられたテープ基材５３に切目線を入れて形成されている。
【０００４】
取手５４の裏面には、台紙５２に接着されないように、覆い部材５５が貼り付けられ、台紙５２には、テープ５１と取手５４との境界に対応して区画線５６が記されている。
【０００５】
上記二重瞼形成材の使用に際しては、図６に示すように、台紙５２を区画線５６に沿って折り曲げることにより、取手５４を台紙５２から浮き上がらせ、浮き上がった取手５４のうち１個を指で摘み上げ、テープ５１を台紙５２から剥がす。そして、図７に示すように、取手５４を把持して、テープ５１を瞼に貼り付け、テープ５１から取手５４を引き千切るように切り取る。
【先行技術文献】
【特許文献】
【０００６】
【特許文献１】特開２００５−３３４１０８号公報
【発明の概要】
【発明が解決しようとする課題】
【０００７】
しかしながら、上記のような二重瞼形成材では、瞼の所望の位置に確実に襞を形成するため、テープ５１を瞼に貼り付ける際、スティック状のプッシャーで瞼を押圧したり、テープ５１から取手５４を切り取る必要があり、作業に手間取ることがある。
【０００８】
そこで、この発明は、意図した二重瞼を簡単に形成できる二重瞼形成材を提供することを課題とする。
【課題を解決するための手段】
【０００９】
上記のような課題を解決するため、この発明では、少なくとも裏面に粘着性を有する複数本の細帯状テープと、これを表面に並べて剥離可能に貼付保持した台紙とから成り、台紙からテープを剥がして瞼に貼り付けることにより二重瞼を形成する二重瞼形成材において、前記台紙に、テープの両端部に一部分が重なるように、枠状切目線に囲まれた把持部を形成し、枠状切目線には、テープの長さ方向に並行する部分に位置するように繋部を設け、台紙の端縁から枠状切目線の外側端へかけて、端部切目線を入れたのである。
【００１０】
また、この二重瞼形成材において、前記テープは、裏面だけでなく表面にも粘着性を有するものとし、テープに対応する形状の剥離紙でテープの表面を覆い、剥離紙に長さ方向中間部で分割する中間切目線を入れたのである。
【発明の効果】
【００１１】
この発明に係る二重瞼形成材では、端部切目線による切込を拡大するように台紙を撓ませて、枠状切目線の繋部を破断させ、把持部を摘んでテープを台紙から剥がし、把持部をプッシャーとして瞼を押し込み、瞼に襞を形成しつつ、テープを瞼に貼り付けた後、把持部をテープから剥がして除去することにより、意図した二重瞼を簡単に形成できる。
【００１２】
また、両面に粘着性を有するテープの表面を剥離紙で覆ったものでは、瞼にテープを貼り付ける際、剥離紙の中間切目線に臨む部分を捲るようにして、テープから剥離紙を除去することにより、目を閉じても襞が戻らない二重瞼を簡単に形成できる。
【図面の簡単な説明】
【００１３】
【図１】この発明の第１実施形態に係る二重瞼形成材の（ａ）全体平面図、（ｂ）同上のＣ１−Ｃ１断面図
【図２】同上の（ａ）台紙の枠状切目線の繋部の破断過程を示す斜視図、（ｂ）テープの台紙からの剥離過程を示す斜視図、（ｃ）把持部による瞼の押込及び瞼へのテープ貼付過程を示す斜視図、（ｄ）把持部のテープからの剥離過程を示す斜視図
【図３】この発明の第２実施形態に係る二重瞼形成材の（ａ）全体平面図、（ｂ）同上のＣ２−Ｃ２断面図
【図４】同上の（ａ）台紙の枠状切目線の繋部の破断過程及び剥離紙のテープからの剥離過程を示す斜視図、（ｂ）テープの台紙からの剥離過程を示す斜視図、（ｃ）把持部による瞼の押込及び瞼へのテープ貼付過程を示す斜視図、（ｄ）把持部のテープからの剥離過程を示す斜視図
【図５】従来の二重瞼形成材の全体平面図及び取手付きテープの平面図
【図６】同上の取手の摘み上げによるテープの台紙からの剥離過程を示す断面図
【図７】同上の取手のテープからの切取過程を示す平面図
【発明を実施するための形態】
【００１４】
まず、この発明の第１実施形態を図１及び図２に基づいて説明する。
【００１５】
この二重瞼形成材は、目を閉じたとき瞼の襞が延びることにより消失して、自然な状態となる片面粘着タイプであり、図１に示すように、細帯状で弧を描くように湾曲した複数本のテープ１と、表面にテープ１が長さ方向を横に向けた状態で一列に縦方向に並べて剥離可能に貼付保持された台紙２とから構成される。
【００１６】
テープ１は、ポリエチレン等を材質とし、目を閉じたときに目立たないように、肌色で半透明とされている。テープ１の裏面には、粘着剤層１ａが形成され、粘着剤には、皮膚に炎症を起こしにくい医療用のアクリル系粘着剤等が使用されている。
【００１７】
台紙２は、引裂が容易な紙製であり、表面にシリコン樹脂やフッ素系化合物により離型処理が施されている。
【００１８】
台紙２には、テープ１の両端部に内寄り部分が重なるように、枠状切目線３に囲まれた把持部４が形成され、枠状切目線３には、テープ１の長さ方向に並行する部分に位置するように、繋部５が設けられている。また、台紙２の端縁から枠状切目線３の外側端へかけて、端部切目線６が入れられている。
【００１９】
上記のような二重瞼形成材を使用して二重瞼を形成する際には、まず、図２（ａ）に示すように、端部切目線６による切込を拡大するように台紙２を撓ませて、枠状切目線３の繋部５を破断させる。
【００２０】
次に、図２（ｂ）に示すように、テープ１の両端部の把持部４を摘んで持ち上げることにより、テープ１を台紙２から剥がす。
【００２１】
そして、図２（ｃ）に示すように、テープ１の両端部に把持部４が貼り付いた状態のまま、把持部４をプッシャーとして瞼を押し込み、襞を形成する位置を決め、瞼に襞を形成しつつ、テープ１を瞼に貼り付ける。
【００２２】
その後、図２（ｄ）に示すように、テープ１から把持部４を剥がして除去すると、別途プッシャー等を用いることなく、意図した幅や形状の二重瞼を簡単に形成できる。
【００２３】
次に、この発明の第２実施形態を図３及び図４に基づいて説明する。
【００２４】
この二重瞼形成材は、目を閉じても瞼の襞が延びることなく保持される埋没タイプであり、図３に示すように、細帯状で弧を描くように湾曲した複数本のテープ１と、表面にテープ１が長さ方向を横に向けた状態で一列に縦方向に並べて剥離可能に貼付保持された台紙２と、テープ１と略同形状でテープ１の表面を覆う剥離紙７とから構成される。
【００２５】
テープ１は、ポリエチレン等を材質とし、襞に埋没した状態で瞼を開閉しても目立たないように、艶を抑えた無色透明とされている。テープ１の裏面及び表面には、それぞれ粘着剤層１ａ，１ｂが形成され、粘着剤には、皮膚に炎症を起こしにくい医療用のアクリル系粘着剤等が使用されている。
【００２６】
台紙２は、引裂が容易な紙製であり、表面にシリコン樹脂やフッ素系化合物により離型処理が施されている。剥離紙７もまた、薄い紙製であり、裏面にシリコン樹脂やフッ素系化合物により離型処理が施されている。なお、台紙２と剥離紙７とは、色が異なるものとしておくと、台紙２の表面における剥離紙７の位置がわかりやすい。
【００２７】
台紙２には、テープ１の両端部に内寄り部分が重なるように、枠状切目線３に囲まれた把持部４が形成され、枠状切目線３には、テープ１の長さ方向に並行する部分に位置するように、繋部５が設けられている。また、台紙２の端縁から枠状切目線３の外側端へかけて、端部切目線６が入れられている。さらに、剥離紙７には、長さ方向中間部で左右に分割する中間切目線８が入れられている。
【００２８】
上記のような二重瞼形成材を使用して二重瞼を形成する際には、まず、図４（ａ）に示すように、端部切目線６による切込を拡大するように台紙２を撓ませて、枠状切目線３の繋部５を破断させる。また、剥離紙７の中間切目線８に臨む部分を捲るようにして、テープ１から剥離紙７を除去する。
【００２９】
次に、図４（ｂ）に示すように、テープ１の両端部の把持部４を摘んで持ち上げることにより、テープ１を台紙２から剥がす。
【００３０】
そして、図４（ｃ）に示すように、テープ１の両端部に把持部４が貼り付いた状態のまま、把持部４をプッシャーとして瞼を押し込み、襞を形成する位置を決め、瞼に襞を形成しつつ、テープ１を瞼に貼り付ける。
【００３１】
その後、図４（ｄ）に示すように、テープ１から把持部４を剥がして除去すると、別途プッシャー等を用いたりすることなく、意図した幅や形状の二重瞼を簡単に形成でき、その襞は、深く鮮明で目を閉じても消失しないものとなる。
【００３２】
なお、上記各実施形態の二重瞼形成材で二重瞼を形成する際、テープ１の貼付状態をより確実にし、二重瞼の形状を整えるため、補助的にスティック状のプッシャーにより瞼を押し込むようにしてもよい。
【符号の説明】
【００３３】
１  テープ
１ａ，１ｂ  粘着剤層
２  台紙
３  枠状切目線
４  把持部
５  繋部
６  端部切目線
７  剥離紙
８  中間切目線
【図１】
2015228939.tif 000003
【図２】
2015228939.tif 000004
【図３】
2015228939.tif 000005
【図４】
2015228939.tif 000006
【図５】
2015228939.tif 000007
【図６】
2015228939.tif 000008
【図７】
2015228939.tif 000009